(57)【要約】【課題】廃棄物の排出者のプライバシーを保護しながら、排出した粗大ゴミが適切に運搬されたか否かを把握することができる運搬回収システムを提供する。【解決手段】利用者からの要求を受けたセンタ装置１が受付番号および回収予定日等をデータベースに設定すると共に、利用者へ通知する。利用者から受付番号を提示した要求を受け、受付番号確認・印字装置２が受付番号をセンタ装置１へ送信して確認を受けた後、受付番号および回収予定日等を印字した回収票６を発行する。運搬業者が所有する回収情報入力端末装置３が、回収場所において位置情報をセンタ装置１へ送信し、センタ装置１が端末装置３から送信された位置情報を認証する。端末装置３が位置情報の認証を受けた後、利用者によって置かれた被回収物に貼付された回収票６のデータをセンタ装置１へ送信し、センタ装置１が該回収票６のデータに基づきデータベースを更新する。【選択図】    図１
2004342028.tif 000002
【特許請求の範囲】
【請求項１】
利用者からの要求を受けた回収管理センタ装置が受付番号および回収に関する所定事項をデータベースに設定すると共に、前記受付番号および回収に関する所定事項を前記利用者へ通知し、
操作者によって前記受付番号が入力された受付番号確認・印字装置が、前記受付番号を前記回収管理センタ装置へ送信して確認を受けた後、前記受付番号およびその受付番号に対応する前記回収に関する所定事項を印字した回収票を発行し、
回収情報入力端末装置が、回収場所において位置情報を前記回収管理センタ装置へ送信し、
前記回収管理センタ装置が前記回収情報入力端末装置から送信された位置情報を認証し、
前記回収情報入力端末装置が前記位置情報の認証を受けた後、前記利用者によって置かれた被回収物に貼付された前記回収票のデータを前記回収管理センタ装置へ送信し、
前記回収管理センタ装置が該回収票のデータに基づき前記データベースを更新する
ことを特徴とする運搬回収方法。
【請求項２】
前記回収票には、回収に関する所定事項として回収予定日、回収場所が印字されていることを特徴とする請求項１に記載の運搬回収方法。
【請求項３】
前記回収票には、回収に関する所定事項として回収指示者の連絡場所が印字されていることを特徴とする請求項１または請求項２に記載の運搬回収方法。
【請求項４】
前記回収票には、前記受付番号を記録したバーコードが表示され、前記回収情報入力端末装置は該バーコードを読み取って前記回収管理センタ装置へ送信することを特徴とする請求項１〜請求項３のいずれかの項に記載の運搬回収方法。
【請求項５】
前記回収情報入力端末装置はＧＰＳ位置取得手段を具備し、該ＧＰＳ位置取得手段によって取得した位置情報を前記回収管理センタ装置へ送信することを特徴とする請求項１〜請求項４のいずれかの項に記載の運搬回収方法。
【請求項６】
前記回収管理センタ装置は、前記回収情報入力端末装置から送信された位置情報と前記データベースに予め登録されている位置情報とを照合し、その結果に基づいて位置情報の認証を行うことを特徴とする請求項１〜請求項５のいずれかの項に記載の運搬回収方法。
【請求項７】
前記回収情報入力端末装置が、処理場において位置情報を前記回収管理センタ装置へ送信し、
前記回収管理センタ装置が前記回収情報入力端末装置から送信された位置情報を認証した後前記データベースを更新する過程をさらに有することを特徴とする請求項１〜請求項６のいずれかの項に記載の運搬回収方法。
【請求項８】
前記回収管理センタ装置が前記データベース内の情報に基づいて運搬業者および処理業者の料金を清算する過程をさらに有することを特徴とする請求項１〜請求項７のいずれかの項に記載の運搬回収方法。
【請求項９】
利用者からの要求を受け、受付番号および回収に関する所定事項をデータベースに設定すると共に、前記受付番号および回収に関する所定事項を前記利用者へ通知する受付処理手段と、回収情報入力端末装置から送信された位置情報を認証すると共に、回収情報入力端末装置から送信された回収票のデータに基づき前記データベースを更新する運搬管理手段とを有する回収管理センタ装置と、
前記受付番号の入力を受け、前記受付番号を前記回収管理センタ装置へ送信して確認を受けた後、前記受付番号およびその受付番号に対応する前記回収に関する所定事項を印字した回収票を発行する受付番号確認・印字装置と、
回収場所において操作者の指示を受け位置情報を前記回収管理センタ装置へ送信し、前記位置情報の認証を受けた後、前記利用者によって置かれた被回収物に貼付された前記回収票のデータを前記回収管理センタ装置へ送信する前記回収情報入力端末装置と、
前記回収管理センタ装置と前記受付番号確認・印字装置および前記回収情報入力端末装置とを接続する通信ネットワークと、
を具備することを特徴とする運搬回収システム。
【請求項１０】
前記回収票には、回収に関する所定事項として回収予定日、回収場所が印字されていることを特徴とする請求項９に記載の運搬回収システム。
【請求項１１】
前記回収票には、回収に関する所定事項として回収指示者の連絡場所が印字されていることを特徴とする請求項９または請求項１０に記載の運搬回収システム。
【請求項１２】
前記回収票には、前記受付番号を記録したバーコードが表示され、前記回収情報入力端末装置は該バーコードを読み取って前記回収管理センタ装置へ送信することを特徴とする請求項９〜請求項１１のいずれかの項に記載の運搬回収システム。
【請求項１３】
前記回収情報入力端末装置はＧＰＳ位置取得手段を具備し、該ＧＰＳ位置取得手段によって取得した位置情報を前記回収管理センタ装置へ送信することを特徴とする請求項９〜請求項１２のいずれかの項に記載の運搬回収システム。
【請求項１４】
前記回収管理センタ装置は、前記回収情報入力端末装置から送信された位置情報と前記データベースに予め登録されている位置情報とを照合し、その結果に基づいて位置情報の認証を行うことを特徴とする請求項９〜請求項１３のいずれかの項に記載の運搬回収システム。
【請求項１５】
前記回収管理センタ装置は前記データベース内の情報に基づいて運搬業者および処理業者の料金を清算する料金清算手段をさらに有することを特徴とする請求項９〜請求項１４のいずれかの項に記載の運搬回収システム。
【請求項１６】
利用者からの要求を受け、受付番号および回収に関する所定事項をデータベースに設定すると共に、前記受付番号および回収に関する所定事項を前記利用者へ通知する受付処理手段と、
回収情報入力端末装置から送信された位置情報を認証すると共に、前記回収情報入力端末装置から送信された回収票のデータに基づき前記データベースを更新する運搬管理手段と、
を具備することを特徴とする回収管理センタ装置。
【発明の詳細な説明】
【０００１】
【発明の属する技術分野】
本発明は、粗大ゴミや廃棄物などの廃棄申請、運搬回収の管理に用いて好適な運搬回収システムおよび運搬回収方法に関する。
に関する。
【０００２】
【従来の技術】
従来、粗大ゴミの回収においては、利用者は各行政機関が提示する粗大ゴミ回収の費用額相当の回収券をコンビニエンスストアなどで購入し、回収券に利用者の氏名を記入し、粗大ゴミに貼付け、予め決められた公共の場所に粗大ゴミを置き、運搬回収業者が回収を行っている。
なお、本出願人は先に、産業廃棄物等の積み込み、積み降し作業の管理を行うものとして特願２００２−２５３３４８「運送車両管理システム及び運送車両管理装置」を出願している。
【０００３】
【発明が解決しようとする課題】
上述した従来の粗大ゴミの回収では、利用者は各行政機関が提示する粗大ゴミ回収の費用額相当の回収券を購入し、回収券に利用者の氏名を記入し、粗大ゴミに貼付け、公共の場所に粗大ゴミを置く必要があり、個人の氏名を公共の場に必ず提示しなければならず、プライバシーの問題があった。また、適切に粗大ゴミが回収されなかった場合、残された粗大ゴミを発見した第３者は、回収のための連絡を、粗大ゴミの排出者、回収業者、行政機関の何れに連絡をとればよいかの判断が明確でないこと、また、連絡先が直ちに分からないこと、粗大ゴミの排出者に原因があると類推されてもプライバシーの観点から直接的に粗大ゴミの排出者へ連絡することが困難であるという問題があった。
【０００４】
本発明は、上記の事情に鑑みてなされたもので、廃棄物の排出者のプライバシーを保護しながら、排出した粗大ゴミが適切に運搬されたか否かを把握することができ、また、運搬に対して適切な対価の清算を行うことができる運搬回収システムおよび運搬回収方法を提供することを目的としている。
【０００５】
【課題を解決するための手段】
この発明は上記の課題を解決するためになされたもので、請求項１に記載の発明は、利用者からの要求を受けた回収管理センタ装置が受付番号および回収に関する所定事項をデータベースに設定すると共に、前記受付番号および回収に関する所定事項を前記利用者へ通知し、操作者によって前記受付番号が入力された受付番号確認・印字装置が、前記受付番号を前記回収管理センタ装置へ送信して確認を受けた後、前記受付番号およびその受付番号に対応する前記回収に関する所定事項を印字した回収票を発行し、回収情報入力端末装置が、回収場所において位置情報を前記回収管理センタ装置へ送信し、前記回収管理センタ装置が前記回収情報入力端末装置から送信された位置情報を認証し、前記回収情報入力端末装置が前記位置情報の認証を受けた後、前記利用者によって置かれた被回収物に貼付された前記回収票のデータを前記回収管理センタ装置へ送信し、前記回収管理センタ装置が該回収票のデータに基づき前記データベースを更新することを特徴とする運搬回収方法である。
【０００６】
請求項２に記載の発明は、請求項１に記載の運搬回収方法において、前記回収票には、回収に関する所定事項として回収予定日、回収場所が印字されていることを特徴とする。
請求項３に記載の発明は、請求項１または請求項２に記載の運搬回収方法において、前記回収票には、回収に関する所定事項として回収指示者の連絡場所が印字されていることを特徴とする。
【０００７】
請求項４に記載の発明は、請求項１〜請求項３のいずれかの項に記載の運搬回収方法において、前記回収票には、前記受付番号を記録したバーコードが表示され、前記回収情報入力端末装置は該バーコードを読み取って前記回収管理センタ装置へ送信することを特徴とする。
請求項５に記載の発明は、請求項１〜請求項４のいずれかの項に記載の運搬回収方法において、前記回収情報入力端末装置はＧＰＳ位置取得手段を具備し、該ＧＰＳ位置取得手段によって取得した位置情報を前記回収管理センタ装置へ送信することを特徴とする。
【０００８】
請求項６に記載の発明は、請求項１〜請求項５のいずれかの項に記載の運搬回収方法において、前記回収管理センタ装置は、前記回収情報入力端末装置から送信された位置情報と前記データベースに予め登録されている位置情報とを照合し、その結果に基づいて位置情報の認証を行うことを特徴とする。
請求項７に記載の発明は、請求項１〜請求項６のいずれかの項に記載の運搬回収方法において、前記回収情報入力端末装置が、処理場において位置情報を前記回収管理センタ装置へ送信し、前記回収管理センタ装置が前記回収情報入力端末装置から送信された位置情報を認証した後前記データベースを更新する過程をさらに有することを特徴とする。
請求項８に記載の発明は、請求項１〜請求項７のいずれかの項に記載の運搬回収方法において、前記回収管理センタ装置が前記データベース内の情報に基づいて運搬業者および処理業者の料金を清算する過程をさらに有することを特徴とする。
【０００９】
請求項９に記載の発明は、利用者からの要求を受け、受付番号および回収に関する所定事項をデータベースに設定すると共に、前記受付番号および回収に関する所定事項を前記利用者へ通知する受付処理手段と、回収情報入力端末装置から送信された位置情報を認証すると共に、回収情報入力端末装置から送信された回収票のデータに基づき前記データベースを更新する運搬管理手段とを有する回収管理センタ装置と、前記受付番号の入力を受け、前記受付番号を前記回収管理センタ装置へ送信して確認を受けた後、前記受付番号およびその受付番号に対応する前記回収に関する所定事項を印字した回収票を発行する受付番号確認・印字装置と、回収場所において操作者の指示を受け位置情報を前記回収管理センタ装置へ送信し、前記位置情報の認証を受けた後、前記利用者によって置かれた被回収物に貼付された前記回収票のデータを前記回収管理センタ装置へ送信する前記回収情報入力端末装置と、前記回収管理センタ装置と前記受付番号確認・印字装置および前記回収情報入力端末装置とを接続する通信ネットワークとを具備することを特徴とする運搬回収システムである。
【００１０】
請求項１０に記載の発明は、請求項９に記載の運搬回収システムにおいて、前記回収票には、回収に関する所定事項として回収予定日、回収場所が印字されていることを特徴とする。
請求項１１に記載の発明は、請求項９または請求項１０に記載の運搬回収システムにおいて、前記回収票には、回収に関する所定事項として回収指示者の連絡場所が印字されていることを特徴とする。
【００１１】
請求項１２に記載の発明は、請求項９〜請求項１１のいずれかの項に記載の運搬回収システムにおいて、前記回収票には、前記受付番号を記録したバーコードが表示され、前記回収情報入力端末装置は該バーコードを読み取って前記回収管理センタ装置へ送信することを特徴とする。
請求項１３に記載の発明は、請求項９〜請求項１２のいずれかの項に記載の運搬回収システムにおいて、前記回収情報入力端末装置はＧＰＳ位置取得手段を具備し、該ＧＰＳ位置取得手段によって取得した位置情報を前記回収管理センタ装置へ送信することを特徴とする。
【００１２】
請求項１４に記載の発明は、請求項９〜請求項１３のいずれかの項に記載の運搬回収システムにおいて、前記回収管理センタ装置は、前記回収情報入力端末装置から送信された位置情報と前記データベースに予め登録されている位置情報とを照合し、その結果に基づいて位置情報の認証を行うことを特徴とする。
請求項１５に記載の発明は、請求項９〜請求項１４のいずれかの項に記載の運搬回収システムにおいて、前記回収管理センタ装置は前記データベース内の情報に基づいて運搬業者および処理業者の料金を清算する料金清算手段をさらに有することを特徴とする。
【００１３】
請求項１６に記載の発明は、利用者からの要求を受け、受付番号および回収に関する所定事項をデータベースに設定すると共に、前記受付番号および回収に関する所定事項を前記利用者へ通知する受付処理手段と、回収情報入力端末装置から送信された位置情報を認証すると共に、前記回収情報入力端末装置から送信された回収票のデータに基づき前記データベースを更新する運搬管理手段と具備することを特徴とする回収管理センタ装置である。
【００１４】
【発明の実施の形態】
以下、図面を参照し、この発明の実施の形態について説明する。図１はこの発明の一実施の形態による運搬回収システムの構成を示すブロック図である。この実施形態によるシステムは、図１に示すように、行政機関等に設けられる回収管理センタ装置１、コンビニ内等の利用者の近辺に設けられる受付番号確認・印字装置２、回収を行う運搬業者等が所有する回収情報入力端末装置３、運搬業者の事務所や廃棄物処理場等に設けられる情報確認端末装置４、インターネット等の通信ネットワーク５および廃棄物に貼付される回収票６から構成される。
【００１５】
回収管理センタ装置は、図２に示すように、利用者情報管理手段１１と、料金清算手段１２と、発券管理手段１３と、情報閲覧手段１４と、受付票管理手段１５と、運搬回収管理手段１６と、通信処理手段１７と、データベース１８とから構成されている。
【００１６】
データベース１８は、印紙及び台紙の発券リスト２１、利用者からの回収受付け票２２、利用者リスト２３、回収場所リスト２４、運搬業者リスト２５、処理業者リスト２６、印紙及び台紙の取扱店リスト２７、運搬回収の状況を管理する運搬回収票２８から構成されており、各リスト等の記録内容は次の通りである。○発券リスト２１：販売した印紙の金額および印刷発行した台紙のコード番号、利用者が回収依頼を行った際の受け付け番号が記録される。
○受付票２２：電話やインターネットを介して利用者から回収依頼を受付けた際の受付番号、利用者リストに登録する利用者のコード番号、回収品目、回収予定場所、回収予定日時、予定金額が記録される。
【００１７】
○利用者リスト２３：電話やインターネットを介して利用者から回収依頼を受付けた際の利用者のコード番号、利用者名、利用者住所、利用者連絡先が記録される。
○回収場所リスト２４：廃棄物を回収する場所および処理業者の場所など回収した廃棄物を搬入する場所、すなわち、回収・搬入場所を示すコード番号、回収・搬入場所名称、回収・搬入場所住所、回収・搬入場所中心緯度、回収・搬入場所中心経度、回収・搬入場所中心からの緯度方向の距離、回収・搬入場所中心からの経度方向の距離、回収・搬入場所の範囲を示すための楕円または矩形の形状識別が記録される。
【００１８】
○運搬業者リスト２５：運搬業者のコード番号、運搬業者名、運搬事業者住所、運搬業者連絡先が記録される。
○処理業者リスト２６：処理業者のコード番号、処理業者名、処理業者住所、処理業者連絡先が記録される。
○取扱店リスト２７：印紙及び台紙の取扱店のコード番号、取扱店名、取扱店住所、取扱店連絡先が記録される。
○運搬回収票２８：受付票の受付番号、運搬業者のコード番号、処理業者のコード番号、回収場所のコード番号、搬入場所のコード番号、回収品目、未回収・回収中・輸送中・搬入中・処理中・処理終了・清算中・清算終了・処理エラーなどの運搬状態が記録される。
【００１９】
利用者情報管理手段１１は、データベース１８に記録された利用者、運搬業者、処理業者、取扱店の情報の管理を行う。受付票管理手段１５は、利用者つまり廃棄物排出者からの回収依頼情報に基き、データベースの受付票を作成し、回収場所、回収品目を確認し、処理料金、運搬業者、処理業者、回収時間を決定し、受付票及び運搬回収票に記録し、結果を利用者に返信する。発券管理手段１３は、受付番号確認・印字装置２から送信される発券内容確認情報に基き、データベース１８の発券リスト２１または受付票２２を参照し、台紙または印紙の発行許可を行う。回収場所の情報は、回収場所の名称、回収場所のコード番号、中心緯度、中心経度、形状識別、緯度方向の距離、経度方向の距離で構成し、形状識別は、例えば、真円を含む楕円、矩形を指定する。
【００２０】
運搬回収管理手段１６は、データベース１８の回収場所リストの登録・削除などの管理を行い、回収情報入力端末装置３から送信される位置情報を元に、回収場所の判定を行い、受付票２２にて登録された廃棄物の運搬回収が指定された場所で行われたかどうかをチェックし、作業状況を保持する運搬回収票２８の内容を逐次更新し、指定地点での運搬回収作業の状態を管理する。回収場所の判定は、データベース１８に登録されている回収場所リストの情報から、それぞれの回収場所の中心緯度、中心経度、形状識別、中心から緯度方向の距離、中心から経度方向の距離を取り出し、回収情報入力端末装置３から送信される、緯度、経度、測位時刻、測位状態を元に、指定された回収場所内に入っているかどうかの判定（地点認証）を行う。なお、詳細は後述する。
【００２１】
料金清算手段１２は、運搬回収票の状態に基き、運搬業者及び処理業者が指定された場所で処理を行ったかどうかの確認及びどの業者がどの利用者の廃棄物を運搬及び処理を行ったかの集計をとり、取扱点が発行した台紙及び印紙の集計を取り、料金清算情報を集計する。情報閲覧手段１４は、利用者の情報が運搬回収窓口となる行政窓口の担当者以外の第３者に漏れないようデータベースに登録された情報の閲覧の制限を行い、取扱店、運搬業者、処理業者に情報閲覧を許可する。
通信処理手段１７は通信ネットワーク５に接続された他の装置との通信処理を行う。
【００２２】
受付番号確認・印字装置２は、図３に示すように、印字手段３１と、発券内容確認手段３２と、通信処理手段３３から構成されている。通信処理手段３３は通信ネットワーク５に接続された他の装置との通信処理を行う。発券内容確認手段３２は、利用者から提示される受付番号に基き、発券内容確認情報を回収管理センタ装置１に送信し、返信される結果に基き、印字手段３１により台紙を印刷し、印紙発行を行う。印字手段３１は、回収票の印字を行う。
【００２３】
回収情報入力端末装置３は、携帯用の端末装置であり、図４に示すように、ＧＰＳ位置取得手段４１と、バーコード入力手段４２と、位置情報送信手段４３と、バーコード情報送信手段４４と、通信処理手段４５とから構成されている。通信処理手段４５は通信ネットワークに接続された他の装置との通信処理を行う。ＧＰＳ位置取得手段４１は、ＧＰＳ受信装置とＧＰＳ情報処理部から構成され、ＧＰＳ情報処理部は、ＧＰＳ受信装置から取得される緯度、経度、測位時刻、測位状態を逐次記憶し、位置情報送信手段４３からの要求に従い、記憶している緯度、経度、測位時刻、測位状態を位置情報送信手段４３に返信する。
【００２４】
位置送信手段４３は、運搬を行う作業者の操作指示により、緯度、経度、測位時刻、測位状態の位置情報を、回収管理センタ装置１に送信する。バーコード入力手段４２は、バーコードリーダとバーコード情報処理部から構成され、バーコードリーダは回収票に印字されている受付番号のバーコードを読込み、バーコード情報処理部は、読込んだ受付番号の情報を記憶する。バーコード送信手段４４は、バーコード情報処理部で記憶した情報を回収管理センタ装置１に送信する。
【００２５】
情報確認端末装置４は、図５に示すように、情報確認手段５１と通信処理手段５２から構成されている。情報確認手段５１は、回収管理センタ装置１に記録された情報内容の確認を行う。
回収票６は、図６に示すように、受付番号表示欄と、受付番号のバーコード印字欄と、品名表示欄と、回収場所表示欄と、回収予定日表示欄と、連絡先表示欄と、印紙貼付け欄から構成される。この回収票６は、受付番号確認・印字装置２により印刷される。通信ネットワーク５は、インターネット、移動通信網、固定通信網、事業者内のローカルネットワークから構成する。
【００２６】
次に、上記実施形態の動作を説明する。なお、図７および図８に動作説明図を示す。図７は動作を説明するための処理フロー図であり、図８は料金請求および支払いの流れを示す図である。
まず、予め回収管理センタ装置１のデータベース１８に、回収場所、運搬業者、処理業者、取扱店を登録する。
【００２７】
利用者は、住所、氏名、回収場所、品目を行政窓口に申請し、あるいは、自己の端末から通信ネットワーク５を介して回収申込を行う。行政窓口では回収管理センタ装置１のデータベース１８に利用着用の受付票２２を作成し、回収予定日、運搬業者を割当て、利用料金を決定し、受付番号、回収予定日、回収場所、利用料金の結果を利用者に通知する。利用者は通知結果に基き、取扱店にて受付番号を告げ、印紙の購入および回収票の印刷を依頼する。取扱店は、受付番号に基き、受付番号確認・印字装置２によって回収管理センタ装置１に内容確認を行い、照合がとれれば、受付番号確認・印字装置２により回収票を印刷し、印紙を発行する。利用者は回収票及び印紙を受取り、印紙を貼り付けた回収票を廃棄物に貼り付け、指定の回収場所に置く。
【００２８】
運搬業者は回収管理センタ装置１から回収依頼情報を受け、回収場所に廃棄物の回収に向かう。運搬業者は回収場所にて、回収情報入力端末装置３により回収管理センタ装置１にアクセスする。この場合、運搬業者は、まず、回収情報入力端末３から、自身の運搬業者ＩＤ及びパスワードを入力し、送信ボタンを押す。すると、通信処理手段４５は、ネットワーク５を介して運搬業者ＩＤ及びパスワードを回収管理センタ装置１に送信する。回収管理センタ装置１の通信処理手段１７は、ネットワーク５を介して運搬業者ＩＤ及びパスワードを受信すると、運搬回収管理手段１６へ通知する。運搬回収管理手段１６は、受信した搬送業者ＩＤによりデータベース１８の運搬業者リスト２５を検索し、受信した搬送業者ＩＤと一致する運搬業者のパスワードを読み出す。そして、受信したパスワードと読み出したパスワードとを照合して、一致した場合に搬送業者の認証がＯＫであると判断する。
【００２９】
認証がＯＫであった場合、運搬回収管理手段１６は、回収情報入力装置３に対して認証がＯＫであった旨を通知する。運搬業者は、この認証ＯＫを受信すると、次に、回収情報入力端末装置３により、現在の運搬車両の位置情報を送信するための操作を行う。すると、位置情報送信手段４３が、一番最近ＧＰＳにより取得した緯度・経度からなる位置情報、位置情報を取得した時刻を示す測位時刻、及び、現在ＧＰＳにより位置情報を測位できる状態であるか否かを示す測位状態を、通信処理手段４５を介して回収管理センタ装置１へ送信する。
【００３０】
回収管理センタ装置１の通信処理手段１７は、ネットワーク５を介して位置情報、測位時刻、及び、測位状態を受信すると、運搬回収管理手段１６へ通知する。運搬回収管理手段１６はその通知を受け、地点認証を行う。すなわち、運搬回収管理手段１６は、回収情報入力端末装置３から受信した位置情報を取得すると、まず、位置情報のフォーマットの整合性チェックを行う。すなわち、受信した位置情報が、正確な位置情報の算出に必要な数以上のＧＰＳ衛星からの情報により生成されたか否か、位置情報の桁数が正常であるか否かをチェックする。位置情報のフォーマットが正常ではないと判断した場合には、その旨を回収情報入力端末装置３へ通知する。
【００３１】
また、位置情報のフォーマットが正常であると判断した場合、次に、回収場所リスト２４を検索し、回収情報入力端末装置３から受信した緯度・経度が収まる回収場所を選択することにより、該当地点の候補となる地点を得る。次に、該当地点の候補となる地点が得られた場合、現在時刻を内部に備える時計から読み出し、全ての該当地点の候補として選択された地点について順に、回収場所リスト２４内の許容時間を取得し、測位時刻と現在時刻との時間差が、取得した許容時間内であるか否かを判断する。そして、時間差が許容時間内であると判断した場合には、該当地点として認証する。一方、時間差が許容時間以上であると判断した場合には、該当地点から除外する。
【００３２】
上記の過程によって、回収情報入力端末装置３の位置が認証された場合、運搬回収管理手段１６は、回収情報入力端末装置３に対して回収票６の受付番号の入力を許可する。回収票６の受付番号の入力が許可された回収情報入力端末装置３を所持する運搬業者は、バーコード入力手段４２により回収票６に記載の受付番号を読み取り、バーコード情報送信手段４４により、回収管理センタ装置１に回収対象である廃棄物の受付番号を送信する。
【００３３】
受付番号を受け取った回収管理センタ装置１の運搬回収管理手段１６は、運搬回収票２８の運搬回収状態の更新を行う。同一回収場所で複数の廃棄物を回収する場合は、上記の作業を繰り返す。運搬業者は廃棄物の車両への積込が終了した後、次の回収目的地に移動し、次の回収目的地において再び上記の処理を行う。そして、運搬業者は、回収が終了した後、処理場へ移動し、荷降しの作業を行う。
【００３４】
処理場においては、運搬事業者は積込みと同様に位置情報等の送信操作を行い、回収管理センタ装置１は回収情報入力端末装置３から送信される位置情報および受付番号情報を受け、データベース１８の運搬回収票２８の運搬回収状態の更新を行う。
また、処理業者は、受け取った廃棄物の受付票６の情報を回収管理センタ装置１に送信する。回収管理センタ装置１は送信される受付番号情報により、データベース１８の運搬回収票２８の運搬回収状態の更新を行う。
【００３５】
また、料金清算手段１２は、運搬回収票２８の状態により、廃棄物の処理業者への正常輸送状態にある廃棄物を集計し、受付票６、発券リスト２１により、正常輸送状態にある廃棄物処理に関わった運搬業者および処理業者の料金を清算する。
【００３６】
【発明の効果】
本発明によれば、廃棄物の排出者のプライバシーを保護しながら、しかも、排出された粗大ゴミが適切に運搬されたか否かを把握することができる効果が得られる。また、運搬に対して適切な対価の清算を行うことが可能になる効果が得られる。
【図面の簡単な説明】
【図１】この発明の一実施形態による運搬回収システムの構成を示すブロック図である。
【図２】同実施形態における回収管理センタ装置１の構成を示すブロック図である。
【図３】同実施形態における受付番号確認・印字装置２の構成を示すブロック図である。
【図４】同実施形態における回収情報入力端末装置３の構成を示すブロック図である。
【図５】同実施形態における情報確認端末装置４の構成を示すブロック図である。
【図６】同実施形態における回収票６を示す図である。
【図７】同実施形態の動作を説明するための処理フロー図である。
【図８】同実施形態における料金請求および支払いの流れを示す図である。
【符号の説明】
１…回収管理センタ装置
２…受付番号確認・印字装置
３…回収情報入力端末装置
４…情報確認端末装置
５…通信ネットワーク
６…回収票
１１…利用者情報管理手段
１２…料金清算手段
１３…発券管理手段
１４…情報閲覧手段
１５…受付票管理手段
１６…運搬回収管理手段
１７…通信趣致手段
１８…データベース
３１…印字手段
３２…発券内容確認手段
４１…ＧＰＳ位置取得手段
４２…バーコード入力手段
４３…位置情報送信手段
４４…バーコード情報送信手段
５１…情報確認手段
【図１】
2004342028.tif 000003
【図２】
2004342028.tif 000004
【図３】
2004342028.tif 000005
【図４】
2004342028.tif 000006
【図５】
2004342028.tif 000007
【図６】
2004342028.tif 000008
【図７】
2004342028.tif 000009
【図８】
2004342028.tif 000010